(57)【要約】      （修正有）【課題】円滑な展開及び折り畳みを実現する位置規制ひさし構造を備える折り畳み式テントを提供する。【解決手段】折り畳み式テントに用いられる安定した位置規制ひさし構造であって、支柱１、支柱１に設けられる固定台２、固定台２とヒンジ連結される下側トップロッド３及び下側トップロッド３とヒンジ連結される上側トップロッド４を備える。下側トップロッド３とヒンジ連結される上側トップロッド４の一端が、外側へ延在して上側トップロッド延長部４００を形成する。上側トップロッド延長部４００にひさしロッド５がヒンジ連結される。固定台２の上端にはひさしスリーブが設けられ、ひさしロッド５の一端がひさしスリーブを貫通する。【選択図】図１
0003223194.tif 000002
【実用新案登録請求の範囲】
【請求項１】
支柱（1）、前記支柱（1）に設けられる固定台（2）、前記固定台（2）とヒンジ連結される下側トップロッド（3）、及び前記下側トップロッド（3）とヒンジ連結される上側トップロッド（4）を備える、折り畳み式テントに用いられる安定した位置規制ひさし構造であって、
前記下側トップロッド（3）とヒンジ連結される前記上側トップロッド（4）の一端が外側へ延在して上側トップロッド延長部（400）を形成し、前記上側トップロッド延長部（400）にひさしロッド（5）がヒンジ連結され、前記固定台（2）の上端にひさしスリーブ（6）が設けられ、前記ひさしロッド（5）の一端が前記ひさしスリーブ（6）を貫通する、
ことを特徴とする折り畳み式テントに用いられる安定した位置規制ひさし構造。
【請求項２】
前記上側トップロッド（4）と前記ひさしロッド（5）とが第１ヒンジ連結部材（7）によってヒンジ連結され、前記第１ヒンジ連結部材（7）が前記上側トップロッド（4）とヒンジ連結される第１ヒンジ連結部（700）、及び前記ひさしロッド（5）とヒンジ連結される第２ヒンジ連結部（701）を含み、前記上側トップロッド（4）が前記ひさしロッド（5）に平行であるとき、前記上側トップロッド（4）と前記ひさしロッド（5）とが同一直線上にある、
ことを特徴とする請求項１に記載の折り畳み式テントに用いられる安定した位置規制ひさし構造。
【請求項３】
前記第１ヒンジ連結部材（7）はＨ字形構造であり、前記第１ヒンジ連結部（700）及び前記第２ヒンジ連結部（701）はそれぞれＨ字形構造の両端開口部に設けられている、
ことを特徴とする請求項２に記載の折り畳み式テントに用いられる安定した位置規制ひさし構造。
【請求項４】
前記上側トップロッド延長部（400）が固定スリーブ（8）に固定接続され、テントが完全に展開されたとき、前記下側トップロッド（3）の側部が前記固定スリーブ（8）に挿入される、
ことを特徴とする請求項１〜３のいずれか一項に記載の折り畳み式テントに用いられる安定した位置規制ひさし構造。
【請求項５】
前記固定スリーブ（8）は、前記上側トップロッド（4）と固定接続される固定スリーブ固定部（800）、及び前記下側トップロッド（3）と係合される固定スリーブ挿設溝（801）を含む、
ことを特徴とする請求項４に記載の折り畳み式テントに用いられる安定した位置規制ひさし構造。
【請求項６】
前記上側トップロッド（4）に隣接する前記下側トップロッド（3）の一端が固定スリーブ（8）と固定接続され、テントが完全に展開されたとき、前記上側トップロッド延長部（400）の側部が前記固定スリーブ（8）に挿入される、
ことを特徴とする請求項１〜３のいずれか一項に記載の折り畳み式テントに用いられる安定した位置規制ひさし構造。
【請求項７】
前記固定スリーブ（8）は、前記下側トップロッド（3）と固定接続される固定スリーブ固定部（800）、及び前記上側トップロッド（4）と係合される固定スリーブ挿設溝（801）を含む、
ことを特徴とする請求項６に記載の折り畳み式テントに用いられる安定した位置規制ひさし構造。
【請求項８】
前記支柱（1）にスライドシート（9）が摺動可能に接続され、前記スライドシート（9）が外側支持ロッド（15）とヒンジ連結され、前記下側トップロッド（3）に第２ヒンジ連結部材（10）が固定接続され、前記外側支持ロッド（15）が前記第２ヒンジ連結部材（10）とヒンジ連結され、前記下側トップロッド（3）と前記外側支持ロッド（15）とが同一平面上にある、
ことを特徴とする請求項１〜３のいずれか一項に記載の折り畳み式テントに用いられる安定した位置規制ひさし構造。
【請求項９】
前記ひさしスリーブ（6）内に貫通孔（600）が設けられ、テントが展開されたとき、該貫通孔（600）の内側頂部が、トッププレート（11）に接続される前記上側トップロッド（4）の一端と同一直線上にある、
ことを特徴とする請求項１〜３のいずれか一項に記載の折り畳み式テントに用いられる安定した位置規制ひさし構造。
【請求項１０】
請求項１〜９のいずれか一項に記載の折り畳み式テントに用いられる安定した位置規制ひさし構造を備える、
ことを特徴とする折り畳み式テント。
【考案の詳細な説明】
【技術分野】
【０００１】
本考案はテントの技術分野に属し、具体的に折り畳み式テント、及び該折り畳み式テントに用いられる安定した位置規制ひさし構造に関する。
【背景技術】
【０００２】
従来の折り畳み式テントは通常、支柱、トッププレート、ボトムプレート、上側トップロッド、下側トップロッド、外側支持ロッド、内部支持ロッドのサイドロッド及びテント布を備える。テントの天井面積は、支柱、上側トップロッド、下側トップロッド及びサイドロッドにより囲んでなる面積により決まる。テント天井の面積を増加させるために、テントの天井面積を増加させるひさし構造が市場に出ているが、従来のひさし構造は、テントを展開したり、折り畳んだりするときの操作が複雑で、不便である。
【考案の概要】
【考案が解決しようとする課題】
【０００３】
従来技術の欠点を補うために、本考案はテント及び該テントに用いられるひさし構造という技術的手段を提供する。
【課題を解決するための手段】
【０００４】
前記折り畳み式テントに用いられる安定した位置規制ひさし構造であって、支柱、前記支柱に設けられる固定台、前記固定台とヒンジ連結される下側トップロッド、及び前記下側トップロッドとヒンジ連結される上側トップロッドを備える安定した位置規制ひさし構造において、前記下側トップロッドとヒンジ連結される前記上側トップロッドの一端が外側へ延在して上側トップロッド延長部を形成し、前記上側トップロッド延長部がひさしロッドとヒンジ連結され、前記固定台の上端にひさしスリーブが設けられ、前記ひさしロッドの一端が前記ひさしスリーブを貫通することを特徴とする。
【０００５】
前記折り畳み式テントに用いられる安定した位置規制ひさし構造であって、前記上側トップロッドと前記ひさしロッドとが第１ヒンジ連結部材によってヒンジ連結され、前記第１ヒンジ連結部材が前記上側トップロッドとヒンジ連結される第１ヒンジ連結部、及び前記ひさしロッドとヒンジ連結される第２ヒンジ連結部を含み、前記上側トップロッドが前記ひさしロッドに平行であるとき、前記上側トップロッドと前記ひさしロッドとが同一直線上にあることを特徴とする。
【０００６】
前記折り畳み式テントに用いられる安定した位置規制ひさし構造であって、前記第１ヒンジ連結部材はＨ字形構造であり、前記第１ヒンジ連結部及び前記第２ヒンジ連結部はそれぞれＨ字形構造の両端開口部に設けられていることを特徴とする。
【０００７】
前記折り畳み式テントに用いられる安定した位置規制ひさし構造であって、前記上側トップロッド延長部が固定スリーブに固定接続され、テントが完全に展開されたとき、前記下側トップロッドの側部が前記固定スリーブに挿入されることを特徴とする。
【０００８】
前記折り畳み式テントに用いられる安定した位置規制ひさし構造であって、前記固定スリーブは、前記上側トップロッドと固定接続される固定スリーブ固定部、及び前記下側トップロッドと係合される固定スリーブ挿設溝を含むことを特徴とする。
【０００９】
前記折り畳み式テントに用いられる安定した位置規制ひさし構造であって、前記上側トップロッドに隣接する前記下側トップロッドの一端が固定スリーブと固定接続され、テントが完全に展開されたとき、前記上側トップロッド延長部の側部が前記固定スリーブに挿入されることを特徴とする。
【００１０】
前記折り畳み式テントに用いられる安定した位置規制ひさし構造であって、前記固定スリーブは、前記下側トップロッドと固定接続される固定スリーブ固定部、及び前記上側トップロッドと係合される固定スリーブ挿設溝を含むことを特徴とする。
【００１１】
前記折り畳み式テントに用いられる安定した位置規制ひさし構造であって、前記支柱にスライドシートが摺動可能に接続され、前記スライドシートが外側支持ロッドとヒンジ連結され、前記下側トップロッドに第２ヒンジ連結部材が固定接続され、前記外側支持ロッドが前記第２ヒンジ連結部材とヒンジ連結され、前記下側トップロッドと前記外側支持ロッドとが同一平面上にあることを特徴とする。
【００１２】
前記折り畳み式テントに用いられる安定した位置規制ひさし構造であって、前記ひさしスリーブ内に貫通孔が設けられ、テントが展開されたとき、該貫通孔の内側頂部が、トッププレートに接続される前記上側トップロッドの一端と同一直線上にあることを特徴とする。
【００１３】
前記テントであって、上記のひさし構造を備えることを特徴とする。
【考案の効果】
【００１４】
従来の技術と比べて、本考案は、ひさしスリーブを設けて、テントの展開及び折り畳みときにひさしロッドをひさしスリーブに沿って伸縮させることができ、それによってテントの円滑な展開及び折り畳みを実現する。
【図面の簡単な説明】
【００１５】
【図１】実施例１の完全展開状態の概略構成図である。
【図２】図１におけるＥの拡大図である。
【図３】実施例１の半展開状態の概略構成図である。
【図４】図３におけるＦの拡大図である。
【図５】実施例２の半展開状態の概略構成図である。
【図６】図５におけるＡの拡大図である。
【図７】図５におけるＢの拡大図である。
【図８】実施例２の完全展開状態の概略構成図である。
【図９】図８におけるＣの拡大図である。
【図１０】図８におけるＤの拡大図である。
【考案を実施するための形態】
【００１６】
以下、添付の図面を参照しながら本考案をさらに説明する。
【００１７】
（実施例1）
図1〜4に示すように、折り畳み式テント用安定した位置規制ひさし構造は、支柱1、支柱1に設けられる固定台2、固定台2とヒンジ連結される下側トップロッド3、及び下側トップロッド3とヒンジ連結される上側トップロッド4を備える。下側トップロッド3とヒンジ連結される前記上側トップロッド4の一端は、外側へ延在して上側トップロッド延長部400を形成する。上側トップロッド延長部400はひさしロッド5とヒンジ連結され、固定台2の上端にひさしスリーブ6が設けられる。ひさしロッド5の一端はひさしスリーブ6を貫通し、ひさしスリーブ6内には貫通孔600が設けられる。テントが展開されたとき、該貫通孔600の内側頂部と、トッププレート11と接続される上側トップロッド4の一端とが同一直線上にある。具体的には、固定台2には、下側トップロッド3とヒンジ連結するためのヒンジ連結ホルダー17がさらに固定接続され、ヒンジ連結ホルダー17とひさしスリーブ6とは一体型構造である。
【００１８】
支柱1には、スライドシート9がさらに摺動可能に接続される。スライドシート9は外側支持ロッド15とヒンジ連結され、下側トップロッド3は外側支持ロッド15とヒンジ連結される。
【００１９】
折り畳み式テントは、トッププレート11、ボトムプレート12、トッププレート11とボトムプレート12との間に設けられる伸縮ロッド13、及び４つの上記したひさし構造を備える。ひさし構造における上側トップロッド4は、トッププレート11とヒンジ連結される。ボトムプレート12と上側トップロッド4との間に内部支持ロッド14がヒンジ連結され、４つの支柱1がサイドロッド16を介して長方形の構造に接続してなる。
【００２０】
テントを展開するとき、上側トップロッド4が開き、ひさしロッド5が上側トップロッド4にヒンジ連結されているため、上側トップロッド4が開いた状態でひさしロッド5を固定台2の方向へ押し出し、それによりひさしロッド5の外端はひさしスリーブ6から延び出し、テントのひさし構造を形成する。テントを折り畳むとき、スライドシート9を下方にスライドし、外側支持ロッド15、下側トップロッド3及び上側トップロッドが下方にスライドする。上側トップロッド４が下方へスライドしている際に、ひさしロッド５の内端は下方へ駆動され、全てのロッド部材も一体に折り畳まれるまで、ひさしロッド５の外端をひさしスリーブ６から押し下げてテントの中心に向かって折り畳む。
【００２１】
（実施例2）
図5〜10に示すように、折り畳み式テント用安定した位置規制ひさし構造は、支柱1、支柱1に設けられる固定台2、固定台2とヒンジ連結される下側トップロッド3、及び下側トップロッド3とヒンジ連結される上側トップロッド4を備える。下側トップロッド3とヒンジ連結される上側トップロッド4の一端は、外側へ延在して上側トップロッド延長部400を形成する。上側トップロッド延長部400にひさしロッド5がヒンジ連結され、固定台2の上端にひさしスリーブ6が設けられる。ひさしロッド5の一端はひさしスリーブ6を貫通し、ひさしスリーブ6内には貫通孔600が設けられる。テントを展開するとき、該貫通孔600の内側頂部と、トッププレート11と接続される上側トップロッド4の一端とが同一直線上にある。具体的には、固定台2には、下側トップロッド3とヒンジ連結するためのヒンジ連結ホルダー17がさらに固定接続され、ヒンジ連結ホルダー17とひさしスリーブ6とは一体型構造である。
【００２２】
上側トップロッド4とひさしロッド5とは、第１ヒンジ連結部材7によってヒンジ連結される。第１ヒンジ連結部材7は、上側トップロッド4とヒンジ連結される第１ヒンジ連結部700、及びひさしロッド5とヒンジ連結される第２ヒンジ連結部701を含む。上側トップロッド4がひさしロッド5に平行であるとき、上側トップロッド4とひさしロッド5とは同一直線上にある。第１ヒンジ連結部材7はＨ字形構造であり、第１ヒンジ連結部700及び第２ヒンジ連結部701は、Ｈ字形構造の両端開口部に設けられている。第１ヒンジ連結部材7は、上側トップロッド4とひさしロッド5とを同一平面上でヒンジ連結させ、両者の位置ずれを回避し、テント構造をよりコンパクトにし、展開及び折り畳みをより円滑にすることができる。
【００２３】
固定スリーブ8の第１実施形態は以下のとおりである。図7、9に示すように、上側トップロッド延長部400は固定スリーブ8と固定接続され、テントが完全に展開されたとき、下側トップロッド3の側部が固定スリーブ8に係合される。具体的には、固定スリーブ8は、上側トップロッド4と固定接続される固定スリーブ固定部800、及び下側トップロッド3と係合するための固定スリーブ挿設溝801を含む。固定スリーブ８が設けない場合、テントが完全に展開されると、上側トップロッド延長部４００と下側トップロッド３とがまだ交差角を有しているため、上側トップロッド４と下側トップロッド３の構造が不安定になりやすい。 固定スリーブが設けた後、テントが完全に展開されると、上側トップロッド延長部４００と下側トップロッド３とは平行になり、両者が一体に固定され、構造をより安定させる。
【００２４】
固定スリーブ8の第２実施形態は以下のとおりである。上側トップロッド4に隣接する下側トップロッド3の一端に固定スリーブ8が固定接続される。テントが完全に展開されたとき、上側トップロッド延長部400の側部に固定スリーブ8が挿入される。固定スリーブ8は、下側トップロッド3と固定接続される固定スリーブ固定部800、及び上側トップロッド4と挿設される固定スリーブ挿設溝801を含む。該実施形態は図示されていないが、その構造、原理及び効果が固定スリーブ８の第１実施例と実質的に同じであり、ここで繰り返して説明しない。
【００２５】
支柱1には、スライドシート9がさらに摺動可能に接続される。スライドシート9に外側支持ロッド15がヒンジ連結され、下側トップロッド3に第２ヒンジ連結部材10が固定接続される。外側支持ロッド15が第２ヒンジ連結部材10とヒンジ連結される。第２ヒンジ連結部材10によって、下側トップロッド3と外側支持ロッド15とが同一平面内にあるようになっており、下側トップロッド3と外側支持ロッド15との位置ずれを回避し、テント構造をよりコンパクトにし、展開及び折り畳みをより円滑にした。
【００２６】
折り畳み式テントは、トッププレート11、ボトムプレート12、トッププレート11とボトムプレート12との間に設けられる伸縮ロッド13、及び４つの上記したひさし構造を備える。ひさし構造における上側トップロッド4は、トッププレート11とヒンジ連結される。ボトムプレート12と上側トップロッド4との間に内部支持ロッド14がヒンジ連結され、４つの支柱1がサイドロッド16を介して長方形の構造に接続してなる。
【００２７】
テントを展開するとき、上側トップロッド4が開き、ひさしロッド5が上側トップロッド4にヒンジ連結されているため、上側トップロッド4が開いた状態でひさしロッド5を固定台2の方向へ押し出し、それによりひさしロッド5の外端はひさしスリーブ6から延び出し、テントのひさし構造を形成する。テントを折り畳むとき、スライドシート9を下方にスライドし、外側支持ロッド15、下側トップロッド3及び上側トップロッドが下方にスライドする。上側トップロッド４が下方へスライドしている際に、ひさしロッド５の内端は下方へ駆動され、全てのロッド部材も一体に折り畳まれるまで、ひさしロッド５の外端をひさしスリーブ６から押し下げてテントの中心に向かって折り畳む。
【００２８】
なお、上記の実施例は本考案の技術的手段を説明するために使用されているに過ぎず、それを限定するものではない。前記各実施例を参照して本考案を詳細に説明したが、当業者にとって、前記実施例で記載された技術的手段を変更するか、又は技術的特徴の一部又は全部を同等に置き換えることができるが、これらの変更又は置換は、本考案の各実施例の技術的手段の範囲から逸脱しないと理解すべきである。
【符号の説明】
【００２９】
1−支柱、2−固定台、3−下側トップロッド、4−上側トップロッド、400−上側トップロッド延長部、5−ひさしロッド、6−ひさしスリーブ、600−貫通孔、7−第１ヒンジ連結部材、700−第１ヒンジ連結部、701−第２ヒンジ連結部、8−固定スリーブ、800−固定スリーブ固定部、801−固定スリーブ挿設溝、9−スライドシート、10−第２ヒンジ連結部材、11−トッププレート、12−ボトムプレート、13−伸縮ロッド、14−内部支持ロッド、15−外側支持ロッド、16−サイドロッド、17−ヒンジ連結ホルダー
【図１】
0003223194.tif 000003
【図２】
0003223194.tif 000004
【図３】
0003223194.tif 000005
【図４】
0003223194.tif 000006
【図５】
0003223194.tif 000007
【図６】
0003223194.tif 000008
【図７】
0003223194.tif 000009
【図８】
0003223194.tif 000010
【図９】
0003223194.tif 000011
【図１０】
0003223194.tif 000012